(57)【要約】【課題】仕向先の工事案件毎に製作する必要がなく、行先釦の表示を仕向先の階床に応じて任意に変更することができる汎用性のあるエレベータの操作盤装置を提供する。【解決手段】かご２内に設けられ、行先階を指定するための複数の行先釦４を有するエレベータの操作盤装置において、所望の階床を選択的に表示し得る表示装置４０を内蔵した階床表示釦４と、上記表示装置４０の表示を所望の階床に設定し得る設定手段１３とを備えることにより、上記課題を解決したものである。【選択図】図１
2005343589.tif 000002
【特許請求の範囲】
【請求項１】
かご室内に設けられ、行先階を指定するための複数の行先釦を有するエレベータの操作盤装置において、所望の階床を選択的に表示し得る表示装置を有する行先釦と、上記表示装置の表示を所望の階床に設定し得る設定手段とを備えたことを特徴とするエレベータの操作盤装置。
【請求項２】
上記行先釦の表示装置は、セグメント式のＬＥＤ表示装置からなることを特徴とする請求項１に記載のエレベータの操作盤装置。
【請求項３】
上記行先釦の表示装置は、セグメント式の液晶表示装置からなることを特徴とする請求項１に記載のエレベータの操作盤装置。
【請求項４】
上記設定手段は、エレベータの運転を制御する制御盤の制御アルゴリズムと連動されてなることを特徴とする請求項１ないし請求項３の何れかに記載のエレベータの操作盤装置。
【請求項５】
上記設定手段は、上記表示装置の設定モードを切替えるモード切替釦と、設定値を選択する設定釦と、選択された設定値を固定する決定釦とを用いて構成されてなることを特徴とする請求項１ないし請求項４の何れかに記載のエレベータの操作盤装置。
【発明の詳細な説明】
【技術分野】
【０００１】
この発明はエレベータのかご室内に設けられる操作盤装置に関し、例えば操作盤装置を標準化する場合などに好ましく用いることができるエレベータの操作盤装置に関するものである。
【背景技術】
【０００２】
従来のエレベータの操作盤装置においては、行先階を表示・指定するための行先釦は仕向先の階床（階床数、階床名）に合わせて個々に製作し、工場で組立出荷されていた（例えば特許文献１参照。）。
【０００３】
【特許文献１】実開昭５７−１４５２２６号公報（第１頁、図１）
【発明の開示】
【発明が解決しようとする課題】
【０００４】
上記のような従来のエレベータの操作盤装置においては、行先釦は仕向先の階床（階床数、階床名など）に合わせて個々に製作し、工場で組立出荷していたので、工事案件毎に製作する必要があり、そのため価格も高価になり、製作日数も掛かるという問題があった。
【０００５】
この発明は、かかる従来技術の課題を解消するためになされたものであり、仕向先の工事案件毎に製作する必要がなく、行先釦の表示を仕向先の階床に応じて変更し得る汎用性のあるエレベータの操作盤装置を得ることを目的としている。
【課題を解決するための手段】
【０００６】
この発明によるエレベータの操作盤装置は、かご室内に設けられ、行先階を指定するための複数の行先釦を有するエレベータの操作盤装置において、所望の階床を選択的に表示し得る表示装置を有する行先釦と、上記表示装置の表示を所望の階床に設定し得る設定手段とを備えるようにしたものである。
【発明の効果】
【０００７】
この発明においては、操作盤の行先釦の表示を任意に設定できるようにしたことにより、汎用性があり、仕向先の工事案件毎に製作する必要がないため、標準化が可能であり、工期を短くして価格も安価にすることができる。
【発明を実施するための最良の形態】
【０００８】
実施の形態１．
図１〜図５はこの発明の実施の形態１になるエレベータの操作盤装置を説明するもので、図１はエレベータの操作盤装置をかご室の袖壁に取り付けた状態を示す斜視図、図２は図１の行先釦部分を詳細に示す斜視図、図３は図１に示す操作盤の引戸を開けたときの内部状態を示す斜視図、図４はＢＣＤコードデータの定義を説明する図、図５は１階の行先釦を３階に認識変更する場合の手順を簡略的に示すフロー図である。図において、操作盤１は、かご室２の袖壁３に設けられている。
【０００９】
操作盤１には、例えばセグメント式の表示装置４０が内蔵された複数の行先釦４（４０１、４０２、４０３、・・・）、名板５、インターホン６、かごの移動方向とかごの現在位置を表示するインジケータ７、戸閉釦８ａ、戸開釦８ｂなどが設けられており、さらに、エレベータ管理者などが操作するためのカギ９を有する引戸１０の内部１１には、スイッチ名板１２、及び上記表示装置４０の表示を所望の階床に設定するための設定手段１３が設けられており、該設定手段１３は、スイッチ１３ａ、モード切替釦１３ｂ、行先釦４の表示を設定する設定釦１３ｃ、行先釦４の表示を決定する決定釦１３ｄなどから構成されている。
【００１０】
上記行先釦４の表示装置４０としては、例えばセグメント式のＬＥＤ表示装置、液晶表示装置、あるいはマトリクス式のＬＥＤ表示装置、液晶表示装置などで、例えば数字とローマ字（アルファベット）を表示できるもの、あるいは必要によりそれらに加えて記号などを表示できるものは好ましく用いることができるが、必ずしもこれらのみに限定されるものではない。なお、この実施の形態１では行先釦４が２０個設けられ、操作盤１の階床設定が１〜２０階床用の場合を例示している。
【００１１】
通常、エレベータは行先階を指定する釦として、図１のように行先釦４が設置され、その行先釦が押されると、その押された階が行先階と認識され、かごに運転司令が出されてかごが動くが、それはエレベータの制御盤に内蔵されたマイコンの記憶素子（図示省略）に予めアドレスを設定して組合せた構成にしているためである。この実施の形態１では、例えば図４に示すＢＣＤコードデータが定義され、管理されている。例えば１階にかごを運転させる場合には、１階のＢＣＤコードデータ「００００  ０００１」を使用し、そのデータで運転司令が出され、かごが１階に運転される。
【００１２】
次に上記のように構成されたエレベータの操作盤装置における釦認識を変える手順を説明する。例えば、１階の行先釦４０１は「００００  ０００１」のデータを使用しているが、該１階の行先釦４０１の表示を例えば３階の「００００  ００１１」にデータを変更する場合は、マイコンの記憶素子内容を変更書き込みすることにより、１階の行先釦４０１の表示が３階に変更され、同時に釦認識も変更することが可能となる。即ち、設定手段１３の設定値は、図示を省略しているエレベータの制御盤の制御アルゴリズムに反映されるように連動されている。
【００１３】
具体的には図５のフロー手順により釦認識を自由に変更することが可能である。即ち、ステップＳ０の平常状態から、ステップＳ１でモード切替釦１３ｂを押すと、ステップＳ２でエレベータが運転を停止して休止状態にされ、行先釦４（４０１〜４２０）の認識が変更可能状態になる。そこで、ステップＳ３で１階の行先釦４０１を押すと、ステップＳ４で１階の行先釦４０１が認識変更モードに切り替わり、図示を省略しているメモリのデータが「００００  ００００」のスタート状態になる。次に、ステップＳ５で設定釦１３ｃを押す（１回目）と、ステップＳ６で１階の行先釦４０１のデータが「００００  ０００１」になり、１階モードとなって「１」階と点灯する。
【００１４】
さらに、ステップＳ７で設定釦１３ｃを押す（２回目）と、ステップＳ８で１階の行先釦４０１のデータが「００００  ００１０」になり、２階モードとなって「２」階と点灯する。続けて、ステップＳ９で設定釦１３ｃを押す（３回目）と、ステップＳ１０で１階の行先釦４０１のデータが「００００  ００１１」になり、３階モードとなって「３」階と点灯する。その後、ステップＳ１１で決定釦１３ｄを押して設定を完了し平常状態に戻る（ステップＳ１２）。
【００１５】
上記のように、操作盤１に設けられた行先釦４（４０１、４０２、４０３、・・・）の表示は、設定手段１３により個別に任意の表示に設定し、あるいは変更することができ、変更されたデータは制御盤に反映されるように構成されている。なお、階床表示は上記の他にも例えば地階はＢ１、Ｂ２などのように、中２階はＭ２などのように、非停止階はＳなどのように、屋上はＲＦ、あるいはＲ１、Ｒ２などのようにそれぞれ表示できることは言うまでもない。また、必要に応じて表示桁数は３桁としても良い。また、行先釦４が押されていない状態では、行先釦４の表示装置４０を例えば輝度を低く点灯し、何れかの行先釦４が押されたときは、該押された行先釦４のみ高輝度で点灯させることにより、押された行先階を容易に認識することができる。
【００１６】
さらに、階床の表示設定操作を容易にするために、操作盤１の引戸１０内の釦に、図１に示す操作盤１と同じ物を用意して、引戸内で変更書き込みができるようにしてもよい。また、図示を省略している制御盤内に上記図３に示す設定手段１３と同じ釦、あるいは図１に示す操作盤１と同じ物を用意して、制御盤内からでも設定できるようにすることも可能である。一方、表示装置４０はセグメント式のデジタル表示装置としたがマトリクス式の表示装置でも同様に行うことができることは言うまでもない。また、例えば２０階床用の操作盤１を１５階（１５停止）のビルに用いるときは、行先釦４が余ることになるが、そのような場合には、余った行先釦について、例えば、（１）表面を覆うカバー部材を設ける、（２）常時消灯する、（３）「−−」と点灯させる、など適宜の手段を用い、電気的にも無効化することで容易に対応させることができる。
【００１７】
以上説明したように、この発明の実施の形態１によれば、操作盤１の行先釦４の表示を任意に設定、変更することができるようにしたことにより、汎用性があり、仕向先の工事案件毎に製作する必要がないため、標準化が可能であり、工期を短くして価格も安価にすることができる。例えば１〜９階用は原則として文字が一桁なのでまず低層階用としてこれを用意、次に１〜２０階用、１〜３０階用、１〜４０階用などのように段階的に分けて仕込みと量産ができるので、据付の際に、建屋の階床数、階床名に合わせて表示を設定することにより、安価に操作盤を得ることができる。また、例えばリフォームなどの際に階床名を変更する場合などにも容易に対応できると言うメリットもある。
【図面の簡単な説明】
【００１８】
【図１】この発明の実施の形態１によるエレベータの操作盤装置をかご室の袖壁に取り付けた状態を示す斜視図である。
【図２】図１の行先釦部分を詳細に示す斜視図である。
【図３】図１に示す操作盤の引戸を開けたときの内部状態を示す斜視図である。
【図４】ＢＣＤコードデータの定義を説明する図である。
【図５】１階の行先釦を３階に認識変更する場合の手順を簡略的に示すフロー図である。
【符号の説明】
【００１９】
１  操作盤、  ２  かご室、  ３  袖壁、  ４  行先釦、  ５  名板、  ６  インターホン、  ６  インジケータ、  ８ａ  戸閉釦、  ８ｂ  戸開釦、  ９  カギ、  １０  引戸、  １１  内部、  １２  スイッチ名板、  １３  設定手段、  １３ａ  スイッチ、  １３ｂ  モード切替釦、  １３ｃ  設定釦、  １３ｄ  決定釦。
【図１】
2005343589.tif 000003
【図２】
2005343589.tif 000004
【図３】
2005343589.tif 000005
【図４】
2005343589.tif 000006
【図５】
2005343589.tif 000007